(57)【要約】  複数の発光ダイオード（ＬＥＤ）を駆動する駆動装置であって、制御信号を出力する汎用入出力器（ＧＰＩＯ）を含む。更にこの装置は、共用コントロールバスを介してＧＰＩＯに接続された複数のＬＥＤパッケージを含む。【選択図】  図１
2008535208.tif 000002
【特許請求の範囲】
【請求項１】
複数の発光ダイオード（ＬＥＤ）を駆動する駆動装置であって、
制御信号を出力する汎用入出力器（ＧＰＩＯ）と、
共用コントロールバスを介して前記ＧＰＩＯに接続された複数のＬＥＤパッケージと、
を含むことを特徴とする駆動装置。
【請求項２】
前記複数のＬＥＤパッケージのうち、少なくとも１つは、プログラミング論理回路を含むことを特徴とする請求項１に記載の駆動装置。
【請求項３】
前記プログラミング論理回路は、
アドレス復号回路と、
データ復号回路と、
データラッチと、
複数のパルス幅変調器及び／又はデジタルアナログ変換器と、
を含むことを特徴とする請求項２に記載の駆動装置。
【請求項４】
前記アドレス復号回路は、前記共用コントロールバスを介して前記制御信号を受信することを特徴とする請求項３に記載の駆動装置。
【請求項５】
前記データラッチは、前記制御信号に基づいて電力制御データを生成し、格納することを特徴とする請求項４に記載の駆動装置。
【請求項６】
前記制御データは、
ｍビットデータパターンの前にｎビットアドレスパターンを含み、
ｎとｍは、正の整数であることを特徴とする請求項５に記載の駆動装置。
【請求項７】
前記ｎビットアドレスパターンは、前記複数のＬＥＤパッケージ中の特定ＬＥＤパッケージのアドレスを含むことを特徴とする請求項６に記載の駆動装置。
【請求項８】
前記ｍビットデータパターンは、
前記特定ＬＥＤパッケージの照度及び輝度の少なくとも何れか一方を制御する情報を含むことを特徴とする請求項７に記載の駆動装置。
【請求項９】
前記複数のＬＥＤパッケージは、前記共用コントロールバスに対し、並列接続されることを特徴とする請求項１に記載の駆動装置。
【請求項１０】
前記制御信号は、少なくとも１つのＬＥＤパッケージを選択的に制御するために用いられることを特徴とする請求項１に記載の駆動装置。
【請求項１１】
前記制御信号は、前記複数のＬＥＤパッケージ中の特別ＬＥＤパッケージに対応するアドレス情報を含むことを特徴とする請求項１に記載の駆動装置。
【請求項１２】
前記制御信号は、少なくとも１つのＬＥＤパッケージの輝度を制御するために使用されるデータを含むことを特徴とする請求項１に記載の駆動装置。
【請求項１３】
複数の発光ダイオード（ＬＥＤ）を駆動する駆動方法であって、
共用コントロールバスを介して汎用入出力器（ＧＰＩＯ）に接続された複数のＬＥＤパッケージに対し、前記ＧＰＩＯから制御信号を出力するステップと、
前記制御信号に含まれる情報に応答して、前記複数のＬＥＤパッケージを選択的に動作させるステップと、
を含むことを特徴とする駆動方法。
【請求項１４】
前記複数のＬＥＤパッケージの少なくとも１つは、プログラミング論理回路を含むことを特徴とする請求項１３に記載の駆動方法。
【請求項１５】
前記論理回路は、
アドレス復号回路と、
データ復号回路と、
データラッチと、
複数のパルス幅変調器及び／又はデジタルアナログ変換器と、
を含むことを特徴とする請求項１４に記載の駆動方法。
【請求項１６】
前記アドレス復号回路は、前記共用コントロールバスを介して前記制御信号を受信することを特徴とする請求項１５に記載の駆動方法。
【請求項１７】
前記データラッチは、前記制御信号に応じて電力制御データを生成し、格納することを特徴とする請求項１６に記載の駆動方法。
【請求項１８】
前記制御データは、
ｍビットデータパターンの前にｎビットアドレスパターンを含み、
ｎとｍは、正の整数であることを特徴とする請求項１７に記載の駆動方法。
【請求項１９】
前記ｎビットアドレスパターンは、前記複数のＬＥＤパッケージ中の特定ＬＥＤパッケージのアドレスを含むことを特徴とする請求項１８に記載の駆動方法。
【請求項２０】
前記ｍビットデータパターンは、
前記特定ＬＥＤパッケージの照度及び輝度の少なくとも何れか一方を制御する情報を含むことを特徴とする請求項１３に記載の駆動方法。
【請求項２１】
前記複数のＬＥＤパッケージは、前記共用コントロールバスに対し、並列接続されることを特徴とする請求項１３に記載の駆動方法。
【請求項２２】
前記制御信号は、少なくとも１つのＬＥＤパッケージを選択的に制御するために用いられることを特徴とする請求項１３に記載の駆動方法。
【請求項２３】
前記制御信号は、前記複数のＬＥＤパッケージ中の特別ＬＥＤパッケージに対応するアドレス情報を含むことを特徴とする請求項１３に記載の駆動方法。
【請求項２４】
前記制御信号は、少なくとも１つのＬＥＤパッケージの輝度を制御するために使用されるデータを含むことを特徴とする請求項１３に記載の駆動方法。
【請求項２５】
複数の発光ダイオード（ＬＥＤ）の少なくとも１つを駆動する製品であって、
少なくとも１つのコンピュータ可読媒体と、
前記コンピュータ可読媒体に含まれるプロセッサ命令であって、少なくとも１つのプロセッサによって前記コンピュータ可読媒体から読出されるプロセッサ命令と、
を含み、
前記プロセッサ命令は、前記プロセッサに、
共用コントロールバスを介して汎用入出力器（ＧＰＩＯ）に接続された複数のＬＥＤパッケージに対し、前記ＧＰＩＯから制御信号を出力させ、
前記制御信号に含まれる情報に応答して、前記複数のＬＥＤパッケージの少なくとも１つを選択的に動作させる
ことを特徴とする駆動装置。
【請求項２６】
複数の発光ダイオード（ＬＥＤ）の少なくとも１つにアドレスを割り当てる方法であって、
少なくとも１つのＬＥＤパッケージを、回路基板にマウントするステップと、
前記ＬＥＤパッケージのうちの少なくとも一つに光をあてるステップと、
前記ＬＥＤパッケージに光をあてるステップに応答して、光があてられたＬＥＤパッケージが、アドレスプログラミングモードに入るステップと、
前記光があてられたＬＥＤパッケージによって、制御信号を受信するステップと、
を含み、
前記制御信号は、前記光があてられたＬＥＤパッケージに対応するアドレス情報を含むことを特徴とする方法。
【発明の詳細な説明】
【技術分野】
【０００１】
本発明は、一般的に、電子デバイスに関し、特に、限定はされないが、発光ダイオード（ＬＥＤ）のような発光素子を駆動する方法及び装置に関する。
【背景技術】
【０００２】
発光ダイオード（ＬＥＤ）は、半導体チップのレイヤを横切って電流を流すことによって光を生成する半導体デバイスである。その半導体チップは、通常、リフレクタに収容され、さらにそのリフレクタはエポキシレンズに収容される。ＬＥＤは、表示素子として用いられるだけでなく、たとえば、液晶ディスプレイ（ＬＣＤ）のバックライト用光源として用いてもよい。いくつのＬＥＤを用いるかは、表示の形態や、ディスプレイに要する光の量による。ＬＥＤは、比較的小さく、明るく、そして広角に広がるので、携帯電話や情報端末（ＰＤＡ）といった電子機器に用いるのに理想的である。
【０００３】
カラーＬＥＤの出現により、カラーディスプレーにおけるＬＥＤの利用が増加してきている。カラーＬＥＤは、現在標識市場を占有し、交通信号市場にも食い込みつつある。赤、緑、青に分かれたＬＥＤを組み合わせて、例えば、バックライトディスプレーにおける白色光といった様々の色及び強さの光が生成される。カラーＬＥＤは、自動車のライトとして用いる大きな将来性があり、フラッシュライトやペンライトなどの様々な消費者製品としても販売されている。商業製品としては、特別な配列で組み合わされたカラーＬＥＤを、例えば、シルエットライト、アクセントライト、看板、広告などの表示装置の、ダイナミックな色変更効果を生成するよう制御できる。
【０００４】
カラーＬＥＤの他の用法としては、携帯電話が挙げられる。現在の携帯電話は、小型化しているだけでなく、様々な外観を持つようにもなってきている。携帯電話の中には、ＬＥＤを用いて様々な目的で発光を行なう、例えば、ＬＥＤの発光で着信を示すものがある。携帯電話でＬＥＤを用いる理由の１つは、ＬＥＤや他の携帯電話の部品について、同じハウジング、電力供給、及び特定用途向け集積回路（ＡＳＩＣ）を共有する。
【発明の開示】
【発明が解決しようとする課題】
【０００５】
しかしながら、ＬＥＤを利用する既存の携帯電話では、携帯電話におけるＬＥＤと他の構成は、ほとんどの機能を共有していない。したがって、ＬＥＤには、しばしば、ＬＥＤを制御するセパレートＡＳＩＣが必要になる。
【０００６】
例えば、多くの場合、ＬＥＤは、汎用入出力（ＧＰＩＯ）ポートを介して制御される。各ＬＥＤ又はＬＥＤグループは、ＧＰＩＯポートから少なくとも１つのコントロールピンを要求する。各ＬＥＤとＬＥＤグループが、ＧＰＩＯポートから少なくとも１つのコントロールピンを要求するので、ＬＥＤに電流を供給するためには、複数のＧＰＩＯポートが必要となり、結果として、携帯電話のコストとサイズを増加させることになりかねない。
【課題を解決するための手段】
【０００７】
複数の発光ダイオード（ＬＥＤ）を駆動する駆動装置であって、制御信号を出力する汎用入出力器（ＧＰＩＯ）を含む。この駆動装置は、更に、共用コントロールバスを介して前記ＧＰＩＯに接続された複数のＬＥＤパッケージを含む。
【０００８】
複数のＬＥＤパッケージのうち、少なくとも１つは、プログラミング論理回路を含んでもよい。プログラミング論理回路は、アドレス復号回路と、データ復号回路と、データラッチと、複数のパルス幅変調器及び／又はデジタルアナログ変換器と、を含む。アドレス復号回路は、共用コントロールバスを介して制御信号を受信してもよく、データラッチは、制御信号に基づいて電力制御データを生成し、格納してもよい。電力制御データは、ｍビットデータパターンの前にｎビットアドレスパターンを含む（ｎとｍは、正の整数）。ｎビットアドレスパターンは、複数のＬＥＤパッケージ中の特定ＬＥＤパッケージのアドレスを含んでもよく、ｍビットデータパターンは、特定ＬＥＤパッケージの照度及び輝度の少なくとも何れか一方を制御する情報を含んでもよい。複数のＬＥＤパッケージは、共用コントロールバスに対し、並列接続されてもよい。制御信号は、前記複数のＬＥＤパッケージ中の特別ＬＥＤパッケージに対応するアドレス情報を含んでもよい。制御信号は、少なくとも１つのＬＥＤパッケージを選択的に制御するために用いられてもよく、少なくともＬＥＤパッケージの輝度を制御するために使用されるデータを含んでもよい。  複数の発光ダイオード（ＬＥＤ）を駆動する駆動方法は、共用コントロールバスを介して前記ＧＰＩＯに接続された複数のＬＥＤパッケージに対し、汎用入出力器（ＧＰＩＯ）から制御信号を出力するステップを含む。また更に、制御信号に含まれる情報に応答して、前記複数のＬＥＤパッケージを選択的に動作させるステップと、を含む。
【０００９】
ここで、複数のＬＥＤパッケージの少なくとも１つは、プログラミング論理回路を含んでもよい。プログラミング論理回路は、アドレス復号回路と、データ復号回路と、データラッチと、複数のパルス幅変調器及び／又はデジタルアナログ変換器と、を含んでもよい。アドレス復号回路は、共用コントロールバスを介して制御信号を受信してもよく、データラッチは、制御信号に基づいて電力制御データを生成し、格納してもよい。電力制御データは、ｍビットデータパターンの前にｎビットアドレスパターンを含む（ｎとｍは、正の整数）。ｎビットアドレスパターンは、複数のＬＥＤパッケージ中の特定ＬＥＤパッケージのアドレスを含んでもよく、ｍビットデータパターンは、特定ＬＥＤパッケージの照度及び輝度の少なくとも何れか一方を制御する情報を含んでもよい。複数のＬＥＤパッケージは、共用コントロールバスに対し、並列接続されてもよい。制御信号は、前記複数のＬＥＤパッケージ中の特別ＬＥＤパッケージに対応するアドレス情報を含んでもよい。制御信号は、少なくとも１つのＬＥＤパッケージを選択的に制御するために用いられてもよく、少なくともＬＥＤパッケージの輝度を制御するために使用されるデータを含んでもよい。
【００１０】
複数の発光ダイオード（ＬＥＤ）の少なくとも１つを駆動する製品であって、少なくとも１つのコンピュータ可読媒体と、前記コンピュータ可読媒体に含まれるプロセッサ命令であって、少なくとも１つのプロセッサによって前記コンピュータ可読媒体から読出されるプロセッサ命令と、を含み、前記プロセッサ命令は、前記プロセッサに、共用コントロールバスを介して汎用入出力器（ＧＰＩＯ）に接続された複数のＬＥＤパッケージに対し、ＧＰＩＯから制御信号を出力させ、前記制御信号に含まれる情報に応答して、前記複数のＬＥＤパッケージの少なくとも１つを選択的に動作させる。
【００１１】
複数の発光ダイオード（ＬＥＤ）の少なくとも１つにアドレスを割り当てる方法であって、少なくとも１つのＬＥＤパッケージを、回路基板にマウントするステップと、前記ＬＥＤパッケージのうちの少なくとも一つに光をあてるステップと、前記ＬＥＤパッケージに光をあてるステップに応答して、光があてられたＬＥＤパッケージが、アドレスプログラミングモードに入るステップと、前記光があてられたＬＥＤパッケージによって、制御信号を受信するステップと、を含み、前記制御信号は、前記光があてられたＬＥＤパッケージに対応するアドレス情報を含む。
【発明を実施するための最良の形態】
【００１２】
以下に、本発明の実施形態について、添付の図面を参照しつつ、より詳しく説明する。しかしながら、本発明は、以下の実施形態に限定して解釈されるべきものではない。本発明は、添付の請求の範囲のみによって、請求項の記載そのもの及びそれと実質同一のものとして解釈されるべきである。
【００１３】
図１は、例えば携帯電話といった電子装置に用いられる回路１０を示す図である。回路１０は、表示装置１４０と、その表示装置１４０を駆動する駆動装置１００とを含む。表示装置１４０は、直列接続された２つのＬＥＤ１４１、１４２（これらをまとめて第１発光素子列と称す）と、直列接続された２つのＬＥＤ１４３、１４４（これらをまとめて第２発光素子列と称す）と、直列接続された２つのＬＥＤ１４５、１４６（これらをまとめて第３発光素子列と称す）とを備える。ここで、発光素子列の数や、各発光素子列に含まれるＬＥＤの数は、単に例示的なものである。これらの数及び構成は、必要とされる設計基準に応じて決定可能である。
【００１４】
駆動装置１００は、例えば、リチウムバッテリなどの電力供給電圧Ｖｄｄ（例えば４Ｖ）を、より大きなステップアップ電圧Ｖｈにステップアップさせる、ステップアップタイプのスイッチング電力供給回路１３１を含む。ステップアップ電圧Ｖｈは、駆動装置１００のピンＰ３１と、表示装置１４０のピンＰ４１とを通じて、ＬＥＤ１４１〜１４６に供給される。
【００１５】
ＬＥＤは低電流素子なので、ドライバ１３３〜１３５は、通常、低電流ドライバとして実装される。低電流ドライバ１３３〜１３５のそれぞれは、オンになったときには、その列のＬＥＤの数に関わらず低電流Ｉ１を供給し、オフになると、ＬＥＤへの電流を止める。表示装置１４０の関連ＬＥＤ１４１〜１４６を制御するため、低電流ドライバ１３３〜１３５は、それぞれ、命令Ｓ１〜Ｓ３のそれぞれに応じて、オンオフ処理が行なわれる。個のオンオフ処理には、直列接続されたＬＥＤの各列に対して電力供給するための制御信号が必要であり、これに従い、結果として、付加回路が必要となる。
【００１６】
図２は、汎用入出力器（ＧＰＩＯ）２０２によって制御されるＬＥＤパッケージ２００を示すブロック図である。ＬＥＤ２２４、２２６及び２２８は、例えば、ＬＥＤパッケージ２００において、異なる色のＬＥＤであってもよいし、プラスティックレンズハウジング下に収容されていてもよい。ＧＰＩＯ２０２によって生成された制御信号２１０は、論理回路２１８に配信される。論理回路２１８は、アドレス復号回路２３０、データ復号回路２３０、データラッチ２２０、及びパルス幅変調器又はデジアナ変換器（ＰＷＭ／ＤＡＣ）２１２、２１４、２１６を含む。データラッチ２２０は、例えば、ＬＥＤ２２４、２２６及び２２８の照度レベルを制御するためのデータを格納するメモリとして、機能する。
【００１７】
制御信号に基づいて、電力制御データは、データラッチ２２０によって生成されてもよく、ＰＷＭ／ＤＡＣ２１２、２１４、２１６の少なくとも１つに出力してもよい。ＰＷＭ／ＤＡＣ２１２、２１４、２１６は、ＬＥＤ２２４、２２６、２２８それぞれの照度を制御する。ＰＷＭ／ＤＡＣ２１２、２１４、２１６のパルス幅或いはＤＡＣの出力レベルは、必要に応じて、ＬＥＤ２２４、２２６、２２８それぞれの輝度を独立に制御するように制御される。
【００１８】
ＬＥＤ２２４、２２６、２２８のそれぞれの相対的な照度を制御することにより、カラー「パレット」が生成され、ユーザは、まるで１つのＬＥＤが発光しているように、ＬＥＤパッケージ２００によって発光される光の結合色及び照度を制御できる。従って、ユーザは、例えば、特定の表示モードオプション用の表示モード設定のパラメータとして、ＬＥＤパッケージ２００によって発光される光の色を制御できる。
【００１９】
図３は、汎用入出力器（ＧＰＩＯ）２０２からの信号に接続する複数のＬＥＤパッケージ３０２、３０４、３０６、３０８のブロック図である。ＧＰＩＯ２０２からの制御信号２１０は、ＬＥＤパッケージ３０２、３０４、３０６、３０８のそれぞれが接続された共用コントロールバス３０３に送られる。共用電力バス３０５は全てのＬＥＤパッケージ３０２、３０４、３０６、３０８に、電力を供給する。図３に示された共用コントロールバス３０３はＧＰＩＯ２０２ポートの必要性を最小化するために用いてもよい。図３に示す構成によれば、また、追加的なＬＥＤパッケージを、共用コントロールバス３０３に自由に付加することもできる。
【００２０】
図４は、ＬＥＤを制御するアドレスデータ列を示すタイミング図４００である。このタイミング図４００は、８ビットデータパターン４０６の前に７ビットアドレスパターン４０４を含む。７ビットアドレスパターン４０４は、例えば共用コントロールバス３０３に接続された、複数のＬＥＤの内の、特定のＬＥＤのアドレスを含む。アドレスパターン４０４は、特定のＬＥＤをプログラムするために、その特定のＬＥＤを示す。７ビットアドレスパターン４０４の後に続く８ビットデータパターン４０６は、例えば、特定のＬＥＤの輝度及び色に関連する制御情報を含む。例えば、ＬＥＤを通常の輝度レベルよりも明るくするためには、８ビットデータパターン４０６を、より長い期間を表わすビットパターンでロードすればよく、そうすれば、ＬＥＤデューティーサイクル（即ち、オン期間）が増加し、ＬＥＤに供給される対応平均電力が増加する。データパターン４０６を介して生成されるＰＷＭ電力信号により、ＬＥＤは、より明るい照度を持って発光する。ＬＥＤの輝度を低下させるには、より短い期間を表わすビットパターンで、８ビットデータパターン４０６を、ロードすれば良く、そうすれば、ＬＥＤに供給される対応平均電力が低下する。ＬＥＤをオンにする割合と、オフにする割合とは、８ビットデータパターン４０６の値を変えることによって調整できる。
【００２１】
図４は、更に、５０〜１００μｓの例示的タイムインターバルによって表わされたリセット条件４０２を示している。新しいアドレス又は新しいコマンドが共用コントロールバス３０３にロードされるように、共用コントロールバス３０３をリセットするため、このインターバルは、様々な実施形態において要求される。共用コントロールバス３０３は、複数のＬＥＤに含まれる特定のＬＥＤにプログラミング命令を提供するために用いてもよい。
【００２２】
図５は、ＬＥＤプログラミング状態図である。状態図５００は、初期状態では、ウェイト／リセット状態５０２にある。リセットパルスに応答して、状態図５００は、状態５０４に移り、そこで、ＬＥＤは、スタートビットの受信を待つ。スタートビットを受信すると、状態５０６に入り、７ビットアドレスパターンが読出される。７ビットアドレスパターンは、例えば、共用コントロールバス３０３に接続された複数のＬＥＤの中の、特定のＬＥＤのアドレスを含む。状態５０６において７ビットアドレスパターンを読出した後、状態図５００は、状態５０８に移り、８ビットデータパターンが読出される。８ビットデータパターンは、例えば、特定のＬＥＤの輝度及び色に関連する制御情報を含む。プログラミングの後、状態図５００は、状態５０２に戻る。
【００２３】
アドレス可能なＬＥＤに関連する問題は、各ＬＥＤに、別々のアドレスが必要となることにある。各ＬＥＤ用に１つのアドレスを割り当てると、プリント回路基板（ＰＣＢ）上にＬＥＤを配置する処理中、又はその処理後に、各ＬＥＤのアドレスをトラッキングすることが難しくなるかもしれない。
【００２４】
本発明の様々な実施形態によれば、１つのＬＥＤ又は複数のＬＥＤが、ＰＣＢにマウントされた後で、１つのアドレスを、その特定のＬＥＤ又はその複数のＬＥＤに割り当てる。この特定のＬＥＤに対するアドレスの割当てにより、各ＬＥＤのアドレスをトラッキングする必要なく、ＬＥＤを自由にマウントすることができる。ＰＣＢへのマウント後に１つ又は複数のＬＥＤに特定のアドレスを割り当てるこの技術は、例えば様々なセンサのように、ＰＣｂ上での位置が重要とされる、他の構成にも用いることができる。
【００２５】
図８は、ＰＣＢへのマウント後に複数のＬＥＤに１つのアドレスを割り当てる処理を示すフローチャート６００である。このフロー６００は、ステップ６０１から開始する。ステップ６０２においては、ＬＥＤパッケージを、ＰＣＢにマウントする。ステップ６０４においては、ＬＥＤパッケージを光にあて、その際にＬＥＤが電流を生成する相反機能を利用する。ステップ６０６において、光を検出した後、ＬＥＤパッケージは、アドレスプログラミングモードに入る。ステップ６０８において、ＬＥＤパッケージは、制御信号（例えば、共用コントロールバス３０３に送られた制御信号２１０）を受信し、アドレスを取得する。処理６００は、ステップ６１０で終了する。処理６００を１度実行すれば、複数のＬＥＤパッケージの全てが同じアドレスにプログラミングされるように、プログラム処理６００を、複数のＬＥＤパッケージに対して同時に実行してもよい。処理６００は、通常、一度のオペレーションである。その場合、ＬＥＤパッケージがアドレスを取得した後に、特定のＬＥＤパッケージは、もはやアドレスプログラミングモードに入ることができない。
【００２６】
本発明の実施形態は、例えば、ハードウェア、ソフトウェア（例えば、コンピュータ可読命令を実行するプロセッサによって実行されるもの）又はそれらの組合せとして実装してもよい。コンピュータ可読命令は、例えば、ランダムアクセスメモリ（ＲＡＭ）といったメモリにロードされたプログラムコードであってもよいし、例えばリードオンリメモリ（ＲＯＭ）といった記憶媒体からロードされたプログラムコードであってもよい。例えば、プロセッサは、本発明の原理に従って一連の処理を実行するためのソフトウェアを実行する動作を行なってもよい。例えば、ディスクドライブユニット内の磁気ディスクといったコンピュータ可読媒体上に置いてもよい。このコンピュータ可読媒体は、フラッシュメモリカード、ＥＥＲＯＭベースのメモリ、バブルメモリストレージ、ＲＯＭストレージなどをも含んでもよい。また、本発明の原理に従って動作するソフトウェアを、全体として又は部分的に、静的又は動的なメインメモリ内、又は、プロセッサ（例えば、マイクロコントローラ、マイクロプロセッサ又はマイクロコンピュータ内部メモリ）内のファームウェアに配置してもよい。ここで「備える」「備えている」という単語は、その特徴、数、ステップ又は構成の存在を示しているが、１つ以上の他の特徴、数、ステップ、構成又はそれらの組合せの存在、又は付加を排除するものではない。本発明の範囲は、必ずしも、この明細書によって限定されるべきものではない。本発明の範囲は、特許請求の範囲の記載及びそれと同一なものによって定義される。
【図面の簡単な説明】
【００２７】
【図１】表示デバイス及びドライブデバイスの回路図である。
【図２】ＬＥＤパッケージのブロック図である。
【図３】１つの汎用入出力器（ＧＰＩＯ）に接続された複数のＬＥＤパッケージを示すブロック図である。
【図４】ＬＥＤを制御するアドレスデータシーケンスを示すタイミング図である。
【図５】ＬＥＤプログラミング状態を示す図である。
【図６】回路基板上にマウントされた後、複数のＬＥＤに、１つのアドレスを割り当てる処理を示すフローチャートである。
【図１】
2008535208.tif 000003
【図２】
2008535208.tif 000004
【図３】
2008535208.tif 000005
【図４】
2008535208.tif 000006
【図５】
2008535208.tif 000007
【図６】
2008535208.tif 000008
【手続補正書】
【提出日】平成19年1月24日(2007.1.24)
【手続補正１】
【補正対象書類名】特許請求の範囲
【補正対象項目名】全文
【補正方法】変更
【補正の内容】
【特許請求の範囲】
【請求項１】
携帯電話内で複数の発光ダイオード（ＬＥＤ）を駆動する駆動装置であって、
制御信号を出力する汎用入出力器（ＧＰＩＯ）通信ポートと、
共用コントロールバスを介して前記ＧＰＩＯ通信ポートに接続された複数のＬＥＤと、
を含み、
前記複数のＬＥＤのうちの少なくとも１つを前記携帯電話内に実装可能なプリント回路基板に対してマウントする前に、その少なくとも１つのＬＥＤにアドレスを割り当てることを特徴とする駆動装置。
【請求項２】
前記複数のＬＥＤのうち、少なくとも１つは、プログラミング論理回路に通信可能に接続されることを特徴とする請求項１に記載の駆動装置。
【請求項３】
前記プログラミング論理回路は、
アドレス復号回路と、
データ復号回路と、
データラッチと、
複数のパルス幅変調器及び／又はデジタルアナログ変換器と、
を含むことを特徴とする請求項２に記載の駆動装置。
【請求項４】
前記アドレス復号回路は、前記共用コントロールバスを介して前記制御信号を受信することを特徴とする請求項３に記載の駆動装置。
【請求項５】
前記データラッチは、前記制御信号に基づいて電力制御データを生成し、格納することを特徴とする請求項４に記載の駆動装置。
【請求項６】
前記電力制御データは、
ｍビットデータパターンの前にｎビットアドレスパターンを含み、
ｎとｍは、正の整数であることを特徴とする請求項５に記載の駆動装置。
【請求項７】
前記ｎビットアドレスパターンは、前記複数のＬＥＤ中の特定ＬＥＤのアドレスを含むことを特徴とする請求項６に記載の駆動装置。
【請求項８】
前記ｍビットデータパターンは、
前記特定ＬＥＤの照度及び輝度の少なくとも何れか一方を制御する情報を含むことを特徴とする請求項７に記載の駆動装置。
【請求項９】
前記複数のＬＥＤは、前記共用コントロールバスに対し、並列接続されることを特徴とする請求項１に記載の駆動装置。
【請求項１０】
前記制御信号は、少なくとも１つのＬＥＤを選択的に制御するために用いられることを特徴とする請求項１に記載の駆動装置。
【請求項１１】
前記制御信号は、前記複数のＬＥＤ中の特別ＬＥＤに対応するアドレス情報を含むことを特徴とする請求項１に記載の駆動装置。
【請求項１２】
前記制御信号は、少なくとも１つのＬＥＤの輝度を制御するために使用されるデータを含むことを特徴とする請求項１に記載の駆動装置。
【請求項１３】
携帯電話において複数の発光ダイオード（ＬＥＤ）を駆動する駆動方法であって、
共用コントロールバスを介して汎用入出力器（ＧＰＩＯ）通信ポートに接続された複数のＬＥＤに対し、ＧＰＩＯ通信ポートから制御信号を出力するステップと、
前記制御信号に含まれる情報に応答して、前記複数のＬＥＤを選択的に動作させるステップと、
を含み、
前記複数のＬＥＤのうちの少なくとも１つを、前記携帯電話内に実装可能なプリント回路基板に対してマウントする前に、その少なくとも１つのＬＥＤにアドレスを割り当てることを特徴とする駆動方法。
【請求項１４】
前記複数のＬＥＤの少なくとも１つは、プログラミング論理回路と通信可能に接続されることを特徴とする請求項１３に記載の駆動方法。
【請求項１５】
前記プログラミング論理回路は、
アドレス復号回路と、
データ復号回路と、
データラッチと、
複数のパルス幅変調器及び／又はデジタルアナログ変換器と、
を含むことを特徴とする請求項１４に記載の駆動方法。
【請求項１６】
前記アドレス復号回路は、前記共用コントロールバスを介して前記制御信号を受信することを特徴とする請求項１５に記載の駆動方法。
【請求項１７】
前記データラッチは、前記制御信号に応じて電力制御データを生成し、格納することを特徴とする請求項１６に記載の駆動方法。
【請求項１８】
前記電力制御データは、
ｍビットデータパターンの前にｎビットアドレスパターンを含み、
ｎとｍは、正の整数であることを特徴とする請求項１７に記載の駆動方法。
【請求項１９】
前記ｎビットアドレスパターンは、前記複数のＬＥＤ中の特定ＬＥＤのアドレスを含むことを特徴とする請求項１８に記載の駆動方法。
【請求項２０】
前記ｍビットデータパターンは、
前記特定ＬＥＤの照度及び輝度の少なくとも何れか一方を制御する情報を含むことを特徴とする請求項１３に記載の駆動方法。
【請求項２１】
前記複数のＬＥＤは、前記共用コントロールバスに対し、並列接続されることを特徴とする請求項１３に記載の駆動方法。
【請求項２２】
前記制御信号は、少なくとも１つのＬＥＤを選択的に制御するために用いられることを特徴とする請求項１３に記載の駆動方法。
【請求項２３】
前記制御信号は、前記複数のＬＥＤ中の特別ＬＥＤに対応するアドレス情報を含むことを特徴とする請求項１３に記載の駆動方法。
【請求項２４】
前記制御信号は、少なくとも１つのＬＥＤの輝度を制御するために使用されるデータを含むことを特徴とする請求項１３に記載の駆動方法。
【請求項２５】
携帯電話内において、複数の発光ダイオード（ＬＥＤ）の少なくとも１つを駆動する製品であって、
少なくとも１つのコンピュータ可読媒体と、
前記コンピュータ可読媒体に含まれるプロセッサ命令であって、少なくとも１つのプロセッサによって前記コンピュータ可読媒体から読出されるプロセッサ命令と、
を含み、
前記プロセッサ命令は、前記プロセッサに、
共用コントロールバスを介して汎用入出力器（ＧＰＩＯ）通信ポートに接続された複数のＬＥＤに対し、前記ＧＰＩＯ通信ポートから制御信号を出力させ、前記複数のＬＥＤのうちの少なくとも１つを、前記携帯電話内に実装可能なプリント回路基板に対してマウントする前に、その少なくとも１つのＬＥＤにアドレスを割り当て、
前記制御信号に含まれる情報に応答して、前記複数のＬＥＤの少なくとも１つを選択的に動作させる
ことを特徴とする駆動装置。
【請求項２６】
複数の発光ダイオード（ＬＥＤ）の少なくとも１つにアドレスを割り当てる方法であって、
少なくとも１つのＬＥＤを、回路基板にマウントするステップと、
前記ＬＥＤのうちの少なくとも一つに光をあてるステップと、
前記ＬＥＤに光をあてるステップに応答して、光があてられたＬＥＤが、アドレスプログラミングモードに入るステップと、
前記光があてられたＬＥＤによって、制御信号を受信するステップと、
を含み、
前記制御信号は、前記光があてられたＬＥＤに対応するアドレス情報を含むことを特徴とする方法。
【国際調査報告】
2008535208.tif 000009
2008535208.tif 000010
2008535208.tif 000011
2008535208.tif 000012
2008535208.tif 000013